(57)【要約】【課題】ディスプレイパネルの駆動装置において、高温時における駆動能力の低下や表示特性の悪化および、低温時におけるノイズの影響や表示特性の悪化を少なくし、低コストに温度変化による影響を抑えられるディスプレイパネル駆動装置、表示装置およびディスプレイパネル駆動方法を提供する。【解決手段】ｐＭＯＳトランジスタＴｒ１，Ｔｒ２，Ｔｒ３およびｎＭＯＳトランジスタＴｒ４，Ｔｒ５，Ｔｒ６が、それぞれ並列に接続されたドライバ回路３１の並列接続する素子数を、温度検出回路３２で検出した温度に基づいて比較演算回路３３で決定して、ドライバ回路３１内の素子数選択回路３１ａにおいて並列数を変更する。【選択図】図２
2008250207.tif 000002
【特許請求の範囲】
【請求項１】
ディスプレイパネルに表示する映像に応じた駆動電圧を出力する並列に接続された複数の駆動素子と、前記駆動素子の並列接続する素子数を切替える切替え手段と、を備えたディスプレイパネル駆動装置において、
前記ディスプレイパネルの温度を検出する温度検出手段と、
前記温度検出手段の検出結果に基づいて前記駆動素子の並列接続する素子数を決定し、前記切替え手段へ決定した素子数を出力する素子数決定手段と、
を備えたことを特徴とするディスプレイパネル駆動装置。
【請求項２】
前記温度検出手段が、前記ディスプレイパネル内の所定の場所の温度を検出する温度センサであることを特徴とする請求項１に記載のディスプレイパネル駆動装置。
【請求項３】
前記温度検出手段が、前記ディスプレイパネルに表示する映像における前記駆動素子のＯＮ／ＯＦＦ切替え頻度を予測する予測手段と、前記予測手段が予測したＯＮ／ＯＦＦ切替え頻度から、前記ディスプレイパネルの温度を推定する温度推定手段と、を備えていることを特徴とする請求項１または２に記載のディスプレイパネル駆動装置。
【請求項４】
前記素子数決定手段が、前記駆動素子の並列接続する素子数を決定するために、予め所定の温度閾値を設定していることを特徴とする請求項１乃至３のいずれか一項に記載のディスプレイパネル駆動装置。
【請求項５】
請求項１乃至４のいずれか一項に記載のディスプレイパネル駆動装置を備えたことを特徴とする表示装置。
【請求項６】
ディスプレイパネルに表示する映像に応じた駆動電圧を出力する並列に接続された複数の駆動素子の並列数を切替えるディスプレイパネル駆動方法において、
前記ディスプレイパネルの温度を検出し、前記温度の検出結果に基づいて前記駆動素子の並列接続する素子数を決定し、そして、決定した並列接続する素子数に切替えることを特徴とするディスプレイパネル駆動方法。
【発明の詳細な説明】
【技術分野】
【０００１】
本発明は、例えばプラズマディスプレイパネルや液晶ディスプレイパネルなどを駆動するディスプレイパネル駆動装置と、そのディスプレイパネル駆動装置を備えた表示装置、およびディスプレイパネル駆動方法に関する。
【背景技術】
【０００２】
プラズマディスプレイや液晶ディスプレイ等の表示装置は、表示領域に表示素子や電極がマトリクス状に配置され、これらの表示素子や電極を画素として水平方向、垂直方向から表示される映像に対応した電圧を印加することで表示を行っている。
【０００３】
近年、前記した表示素子や電極に電圧を印加するための駆動装置において、表示領域に対してより大きな駆動能力を得るために、ＦＥＴ（Field Effect Transistor）などのトランジスタによる駆動素子を並列に接続して、所望の駆動能力を得る駆動装置が提案されている。
【０００４】
例えば、特許文献１に記載の駆動回路は、互いに並列に接続された４個のＰｃｈトランジスタと、互いに並列に接続された４個のＮｃｈトランジスタとからなり、切換スイッチＳＰ１〜ＳＰ３およびＳＮ１〜ＳＮ３を制御することにより、大きな駆動能力を必要とする際に並列接続する素子数を増やし、大きな駆動能力を必要としなくなった時点で並列接続する素子数を減らして駆動能力を下げ、駆動回路の消費電力を削減している。
【特許文献１】特開２００４−１１７７４２号公報
【発明の開示】
【発明が解決しようとする課題】
【０００５】
ＦＥＴなどのトランジスタにおけるＯＮ抵抗は、温度が上昇するにつれて高くなっていく。その場合にトランジスタは自身の発熱によっても温度を上昇させる。このため、駆動装置の発熱量は大きく、発熱対策としてヒートシンクを搭載する場合もあり、駆動装置の温度上昇は冷却に使用する手段のための余分なコストを発生させる。また温度が上昇するとトランジスタの電流供給能力が落ちるために表示領域の表示電極に印加される電圧もその立上りや立下り遷移が時間的に緩やかになってくる。このような波形の変化は表示装置の表示特性に影響を与え、映像内容によるさまざまな変化を持っている負荷に対して適切な電力を与えることができず、一部ちらつきなどの誤表示を起こさせる可能性がある。
【０００６】
また、トランジスタは、温度低下とともにＯＮ抵抗が低下すると表示電極への電流供給能力が増大する。その際に常温など標準温度に比べると表示電極に印加される電圧は波形が急峻になり、過剰供給状態になるとリンギングが発生することがある。印加される電圧のリンギングはドライバ素子自体の耐圧にも影響し、耐圧を超えないよう回路に工夫を加えるとか、耐圧を考慮したドライバ素子選定を行ったりするとコストが増大する。またリンギング波形はノイズを発生するためにＥＭＩ（Electro Magnetic Interference）特性が悪化したり、ノイズによる妨害で表示装置の表示特性への影響や装置としての特性悪化をもたらすことがあった。
【０００７】
特許文献１に記載の駆動回路では、上述したような温度変化に対する対策が行われていないために、駆動回路が温度上昇しているにもかかわらずトランジスタの並列接続数を少なくしてちらつきなどを引き起こしたり、リンギングによるノイズから表示特性を悪化させてしまうことがあった。
【０００８】
そこで、本発明は、例えば、ディスプレイパネルの駆動装置において、高温時における駆動能力の低下や表示特性の悪化および、低温時におけるノイズの影響や表示特性の悪化を少なくし、低コストに温度変化による影響を抑えられるディスプレイパネル駆動装置、表示装置およびディスプレイパネル駆動方法を提供することを課題とする。
【課題を解決するための手段】
【０００９】
上記課題を解決するために、請求項１に記載のディスプレイパネル駆動装置は、ディスプレイパネルに表示する映像に応じた駆動電圧を出力する並列に接続された複数の駆動素子と、前記駆動素子の並列接続する素子数を切替える切替え手段と、を備えたディスプレイパネル駆動装置において、前記ディスプレイパネルの温度を検出する温度検出手段と、前記温度検出手段の検出結果に基づいて前記駆動素子の並列接続する素子数を決定し、前記切替え手段へ決定した素子数を出力する素子数決定手段と、を備えたことを特徴としている。
【００１０】
請求項６に記載のディスプレイパネル駆動方法は、ディスプレイパネルに表示する映像に応じた駆動電圧を出力する並列に接続された複数の駆動素子の並列数を切替えるディスプレイパネル駆動方法において、前記ディスプレイパネルの温度を検出し、前記温度の検出結果に基づいて前記駆動素子の並列接続する素子数を決定し、そして、決定した並列接続する素子数に切替えることを特徴としている。
【発明を実施するための最良の形態】
【００１１】
以下、本発明の一実施形態にかかるディスプレイパネル駆動装置を説明する。本発明の一実施形態にかかるディスプレイパネル駆動装置は、ディスプレイパネルの温度を検出する温度検出手段と、温度検出手段の検出結果に基づいて駆動素子の並列接続する素子数を決定し、切替え手段へ決定した素子数を出力する素子数決定手段と、を備えている。このようにすることによって、温度検出手段が検出した温度によって駆動素子の並列接続する素子数を決定することができるので、高温時における駆動能力の低下による表示特性の悪化や、低温時におけるノイズによる表示特性の悪化を少なくすることができる。また、温度検出手段や素子数決定手段を電子回路や素子として追加すればよいので、ヒートシンクを搭載したり、駆動素子の高耐圧化などと比較して低コストに温度変化による影響を抑えることができる。
【００１２】
また、温度検出手段が、ディスプレイパネル内の所定箇所の温度を検出する温度センサとしてもよい。このようにすることにより、所定箇所に取り付けられた温度センサによって検出された温度に基づいて並列接続する素子数を変更することができる。
【００１３】
また、温度検出手段が、ディスプレイパネルに表示する映像における駆動素子のＯＮ／ＯＦＦ切替え頻度を予測する予測手段と、予測手段が予測したＯＮ／ＯＦＦ切替え頻度から、ディスプレイパネルの温度を推定する温度推定手段と、を備えてもよい。このようにすることにより、駆動素子の発熱をＯＮ／ＯＦＦに切替え頻度から推定することができるので、温度センサなどを別に取り付けなくても温度に基づいて並列接続する素子数を変更することができる。
【００１４】
また、素子数決定手段が、駆動素子の並列接続する素子数を決定するために、予め所定の温度閾値を設定してもよい。このようにすることにより、温度閾値を超えた場合は素子数を増やして切替え手段へ出力し、温度閾値以下になった場合は素子数を減らして切替え手段へ出力することができる。
【００１５】
また、表示装置に請求項１乃至４のいずれか一項に記載のディスプレイパネル駆動装置を備えてもよい。このようにすることにより、プラズマディスプレイや液晶ディスプレイなどの表示素子がマトリクス状に形成された表示装置において、高温時における駆動能力の低下による表示特性の悪化や、低温時におけるノイズの影響による表示特性の悪化を少なくすることができる。また、温度検出手段や素子数決定手段を電子回路や素子として追加すればよいので、ヒートシンクを搭載したり、駆動素子の高耐圧化などと比較して低コストに温度変化による影響を抑えることができる。
【００１６】
本発明の一実施形態にかかるディスプレイパネル駆動方法は、ディスプレイパネルの温度を検出して、温度の検出結果に基づいて駆動素子の並列接続する素子数を決定し、素子数を切替えている。このようにすることによって、検出した温度によって駆動素子の並列接続する素子数を決定することができるので、高温時における駆動能力の低下による表示特性の悪化や、低温時におけるノイズによる表示特性の悪化を少なくすることができる。また、温度検出する機能や素子数を決定する機能を電子回路や素子として追加すればよいので、ヒートシンクを搭載したり、駆動素子の高耐圧化などと比較して低コストに温度変化による影響を抑えることができる。
【実施例１】
【００１７】
本発明の第１の実施例を、図１および図２を参照して説明する。本発明の第１の実施例にかかる表示装置としてのプラズマディスプレイ装置１は、映像表示パネル２と、Ｘ軸ドライバ３と、Ｙ軸ドライバ４と、ドライバ出力演算回路５と、映像入力演算回路６と、を備えている。
【００１８】
ディスプレイパネルとしての映像表示パネル２は、ＡＣ型のＰＤＰ（Plasma Display Panel）方式のパネルであり、周知の三電極面放電型構造を有する。この構造では、ＰＤＰの背面基板上にアドレス電極Ｘ１〜Ｘｍがパネルの縦方向に配置され、ＰＤＰの前面基板上に走査電極Ｙ１〜Ｙｎと図示しない維持電極が交互に、かつパネルの横方向に配置される。アドレス電極Ｘ１〜Ｘｍと走査電極Ｙ１〜Ｙｎとは一本ずつ個別に電位を変化させ得る。アドレス電極Ｘ１〜Ｘｍおよび隣り合う走査電極Ｙ１〜Ｙｎと維持電極との対の間の交差点には図示しない放電セルが設置される。放電セルの表面には、誘電体から成る層（誘電体層）、電極と誘電体層とを保護するための層（保護層）、蛍光体を含む層（蛍光層）が設けられる。放電セルの内部にはガスが封入される。アドレス電極Ｘ１〜Ｘｍ、走査電極Ｙ１〜Ｙｎ及び維持電極間に対するパルス電圧の印加により放電セル中で放電が生じるとき、そのガスの分子が電離し、紫外線を発する。その紫外線が放電セル表面の蛍光体を励起し、可視光を発生させる。こうして、放電セルが発光することで映像が表示される。
【００１９】
本発明の第１の実施例にかかるディスプレイパネル駆動装置としてのＸ軸ドライバ３は、図２に示すようにドライバ回路３１と、温度検出回路３２と、比較演算回路３３と、を備え、ドライバ出力演算回路５から入力された映像表示パネル２のアドレス電極Ｘ１〜Ｘｍへの電圧の印加／非印加を示す信号に基づいてアドレス電極Ｘ１〜Ｘｍへ所定の電圧を出力する。なお、図２に示した回路図は、アドレス電極Ｘ１一本分に対応する回路であり、ドライバ回路３１は、Ｘ２〜Ｘｍに関しても同じ回路がＸ軸ドライバ３内において設けられている。
【００２０】
ドライバ回路３１は、素子数選択回路３１ａと、ドライバ駆動回路３１ｂと、ｐＭＯＳトランジスタＴｒ１，Ｔｒ２，Ｔｒ３と、ｎＭＯＳトランジスタＴｒ４，Ｔｒ５，Ｔｒ６と、スイッチＳＷ１、ＳＷ２、ＳＷ３、ＳＷ４と、を備え、比較演算回路３３と、ドライバ出力演算回路５からの入力に基づいて、ｐＭＯＳトランジスタＴｒ１，Ｔｒ２，Ｔｒ３と、ｎＭＯＳトランジスタＴｒ４，Ｔｒ５，Ｔｒ６の並列接続する素子数を変化させて映像表示パネル２のアドレス電極Ｘ１〜Ｘｍを必要な駆動能力で駆動する。
【００２１】
切替え手段としての素子数選択回路３１ａは、比較演算回路３３から入力されたドライバ回路３１内のｐＭＯＳトランジスタＴｒ１，Ｔｒ２，Ｔｒ３およびｎＭＯＳトランジスタＴｒ４，Ｔｒ５，Ｔｒ６の並列接続する素子数に基づいて、スイッチＳＷ１，ＳＷ２，ＳＷ３，ＳＷ４を制御して、ｐＭＯＳトランジスタＴｒ１，Ｔｒ２，Ｔｒ３およびｎＭＯＳトランジスタＴｒ４，Ｔｒ５，Ｔｒ６の並列接続する素子数を変更する。
【００２２】
ドライバ駆動回路３１ｂは、ドライバ出力演算回路５から入力された信号に基づいて、ｐＭＯＳトランジスタＴｒ１，Ｔｒ２，Ｔｒ３のゲートまたはｎＭＯＳトランジスタＴｒ４，Ｔｒ５，Ｔｒ６のゲートに電圧を印加する。
【００２３】
駆動素子としてのｐＭＯＳトランジスタＴｒ１，Ｔｒ２，Ｔｒ３は、ソースにＶｄｄ（Ｔｒ２，Ｔｒ３はスイッチＳＷ１，ＳＷ２を経由して）が、ドレインがアドレス電極Ｘ１に接続されるように互いに並列に接続され、ゲートに電圧が印加されＯＮ状態になるとＶｄｄ電圧をアドレス電極Ｘ１に出力する。
【００２４】
駆動素子としてのｎＭＯＳトランジスタＴｒ４，Ｔｒ５，Ｔｒ６は、ソースにグランド（Ｔｒ５，Ｔｒ６はスイッチＳＷ３，ＳＷ４を経由して）が、ドレインがアドレス電極Ｘ１に接続されるように互いに並列に接続され、ゲートに電圧が印加されＯＮ状態になるとグランドレベル電圧をアドレス電極Ｘ１に出力する。
【００２５】
温度検出手段としての温度検出回路３２は、サーミスタや熱電対などの温度センサから構成され、プラズマディスプレイパネル装置１の所定の場所に取り付けられている。所定の場所とは、例えばｐＭＯＳトランジスタＴｒ１，Ｔｒ２，Ｔｒ３やｎＭＯＳトランジスタＴｒ４，Ｔｒ５，Ｔｒ６の温度を重点的に測定したい場合は、Ｘ軸ドライバ３の近隣に取り付ける。この場合は、駆動能力の温度による変化を抑えるように制御する際に有効である。また、プラズマディスプレイ装置１全体の平均的な温度を測定したい場合は、電源など他の熱源の少ない位置（例えば映像表示パネル２の中心付近など）に取り付ける。この場合は、ノイズを少なくするように制御する際に有効である。さらに、検出精度向上や駆動能力とノイズの両方に対応するために複数箇所に取り付けてもよい。
【００２６】
素子数決定手段としての比較演算回路３３は、温度検出回路３２が検出した温度を予め設定されている閾値温度と比較し、比較結果からドライバ回路３１内のｐＭＯＳトランジスタＴｒ１，Ｔｒ２，Ｔｒ３およびｎＭＯＳトランジスタＴｒ４，Ｔｒ５，Ｔｒ６の並列接続する素子数を決定してドライバ回路３１へ出力する。
【００２７】
ディスプレイパネル駆動装置としてのＹ軸ドライバ４もＸ軸ドライバ３と同様の構成である。すなわち、ドライバ回路３１と、温度検出回路３２と、比較演算回路３３と、を備え、ドライバ出力演算回路５から入力された映像表示パネル２の走査電極Ｙ１〜Ｙｍへの電圧の印加／非印加を示す信号に基づいて走査電極Ｙ１〜Ｙｍへ所定の電圧を出力する。
【００２８】
ドライバ出力演算回路５は、映像入力演算回路６から入力された映像に基づいて映像表示パネル２のアドレス電極Ｘ１〜Ｘｍおよび走査電極Ｙ１〜Ｙｎへの電圧の印加／非印加を示す信号、すなわち、各アドレス電極Ｘ１〜Ｘｍおよび走査電極Ｙ１〜Ｙｎに対応するドライバ回路３１内の各トランジスタＴｒ１，Ｔｒ２，Ｔｒ３，Ｔｒ４，Ｔｒ５，Ｔｒ６のゲートに電圧を与えるか否かを決定し出力する。
【００２９】
映像入力演算回路６は、外部映像出力装置１０から入力された映像信号に対して所定の画質調整などの処理を施した後にドライバ出力演算回路５へ出力する。
【００３０】
外部映像出力装置１０は、例えばテレビチューナやＤＶＤレコーダ／プレーヤなどプラズマディスプレイ装置１に映像信号を供給する装置である。
【００３１】
次に、上述した構成のＸ軸ドライバ３の動作について説明する。まず、外部映像出力装置１０から入力された映像信号は、映像入力演算回路６で所定の画質調整などの処理が施された後に、ドライバ出力演算回路５において入力された映像信号に基づいてドライバ回路３１内のドライバ駆動回路３１ｂへアドレス電極Ｘ１〜Ｘｍへの電圧の印加／非印加を示す信号を出力する。ドライバ駆動回路３１ｂは、ドライバ出力演算回路５から入力される信号に基づいて各トランジスタＴｒ１，Ｔｒ２，Ｔｒ３，Ｔｒ４，Ｔｒ５，Ｔｒ６のゲートに電圧を印加する。すなわち、各トランジスタＴｒ１，Ｔｒ２，Ｔｒ３，Ｔｒ４，Ｔｒ５，Ｔｒ６のＯＮ／ＯＦＦの制御を行う。
【００３２】
また、ドライバ出力演算回路５とドライバ駆動回路３１ｂの動作と平行して、温度検出回路３２において温度を検出し、その温度を比較演算回路３３において、予め設定されている閾値温度と比較する。そして、比較結果に基づいて並列接続する素子数を決定して出力する。この際、比較演算回路３３の閾値は温度が高くなるにしたがって並列接続する素子数を多くするように設定されている。つまり、図２の回路では閾値を２つ設けて第１の閾値を超えた場合は並列接続する素子数を２とし、第２の閾値を超えた場合は並列接続する素子数を３とする。この場合、第２の閾値は第１の閾値よりも高温に設定されている。
【００３３】
例えば、並列接続する素子数を１とする時は、低温時にリンギングによるノイズを抑制することを目的とする場合として、第１の温度閾値をリンギングによるノイズの影響が大きくなる温度に設定し、並列接続する素子数を３とする時は、高温時に温度上昇の抑制を目的とする場合として、第２の温度閾値を温度上昇による駆動能力の影響が大きくなる温度に設定すればよい。
【００３４】
次に、素子数選択回路３１ａにおいて、比較演算回路３３から出力された並列接続する素子数に基づいてスイッチＳＷ１，ＳＷ２，ＳＷ３，ＳＷ４の切替えを行う。すなわち、並列接続する素子数が２の場合はスイッチＳＷ１およびスイッチＳＷ３を閉じるように制御し、ｐＭＯＳトランジスタＴｒ２とｎＭＯＳトランジスタＴｒ５のゲートに電圧を印加できるようにする。並列接続する素子数が３の場合はスイッチＳＷ１、ＳＷ２、ＳＷ３、ＳＷ４全てを閉じるように制御し、ｐＭＯＳトランジスタＴｒ２，Ｔｒ３とｎＭＯＳトランジスタＴｒ５，Ｔｒ６のゲートに電圧を印加できるようにする。
【００３５】
本実施例によれば、ｐＭＯＳトランジスタＴｒ１，Ｔｒ２，Ｔｒ３およびｎＭＯＳトランジスタＴｒ４，Ｔｒ５，Ｔｒ６が、それぞれ並列に接続されたドライバ回路３１の並列接続する素子数を、温度検出回路３２で検出した温度に基づいて比較演算回路３３で決定して、ドライバ回路３１内の素子数選択回路３１ａにおいて並列数を変更しているので、温度に合わせてトランジスタの並列接続する素子数を調整でき、温度変化による駆動能力の変動やノイズの増加などを抑えられるため、温度によらず安定して映像表示パネル２を駆動することができる。
【００３６】
つまり、温度検出回路３２において検出した温度によって素子数の並列接続する素子数を切替えることで、ドライバ回路３１内のトランジスタが高温になることによるＯＮ抵抗の増加による発熱を抑えられ、電流供給能力低下による駆動電圧の波形変化も抑える事ができる。そして、低温時には、波形が急峻にならないように並列接続する素子数を少なくすることで、リンギングを抑え、ノイズを少なくすることができる。
【実施例２】
【００３７】
次に、本発明の第２の実施例にかかるディスプレイパネル駆動装置を図３を参照して説明する。なお、前述した第１の実施例と同一部分には、同一符号を付して説明を省略する。
【００３８】
図３に示した第２の実施例にかかるディスプレイパネル駆動装置としてのＸ軸ドライバ３は、ドライバ回路３１を備えている点は第１の実施例と同様であるが、温度検出回路３２が削除され、比較演算回路３３が、ＯＮ／ＯＦＦ数比較演算回路３４に変更されている点が第１の実施例と異なる。
【００３９】
温度検出手段、素子数決定手段としてのＯＮ／ＯＦＦ数比較演算回路３４は、映像入力演算回路６から入力された映像信号に基づいて、ドライバ回路３１内のｐＭＯＳトランジスタＴｒ１，Ｔｒ２，Ｔｒ３およびｎＭＯＳトランジスタＴｒ４，Ｔｒ５，Ｔｒ６のＯＮ／ＯＦＦ数を予測している。ドライバ回路３１内のｐＭＯＳトランジスタＴｒ１，Ｔｒ２，Ｔｒ３およびｎＭＯＳトランジスタＴｒ４，Ｔｒ５，Ｔｒ６は、ＯＮ／ＯＦＦが頻繁に発生すると発熱が多くなる。したがって、ｐＭＯＳトランジスタＴｒ１，Ｔｒ２，Ｔｒ３およびｎＭＯＳトランジスタＴｒ４，Ｔｒ５，Ｔｒ６のＯＮ／ＯＦＦ数を予測することで、温度センサなどを用いなくともトランジスタの温度を推定することができる。
【００４０】
具体的には、入力された映像信号が明暗を繰り返しているような信号（例えば市松模様など）は、ドライバ回路３１内のｐＭＯＳトランジスタＴｒ１，Ｔｒ２，Ｔｒ３およびｎＭＯＳトランジスタＴｒ４，Ｔｒ５，Ｔｒ６はＯＮ／ＯＦＦが頻繁に発生する。したがって、このような映像を検出し、ＯＮ／ＯＦＦの頻度に応じて温度を推定して予め設定した閾値から並列に接続する素子数を決定する。
【００４１】
また、ノイズ抑制についても、ノイズが発生しやすい映像パターンに応じたトランジスタのＯＮ／ＯＦＦ特定パターンの出現回数などを予め設定することによって、ノイズを抑えるように並列に接続する素子数を決定することができる。
【００４２】
本実施例によれば、温度検出回路３２の代わりに、ＯＮ／ＯＦＦ数比較演算回路３４において、入力された映像からトランジスタのＯＮ／ＯＦＦ数を予測することで、トランジスタの発熱を推定して並列接続する素子数を決定する。このような構成とすることで、温度センサなどを別途設ける必要が無く温度に合わせてトランジスタの並列接続する素子数を調整でき、温度変化による駆動能力の変動やノイズの増加などを抑えられるため、温度によらず安定して映像表示パネル２を駆動することができる。
【実施例３】
【００４３】
次に、本発明の第３の実施例にかかるディスプレイパネル駆動装置を図４を参照して説明する。なお、前述した第１、第２の実施例と同一部分には、同一符号を付して説明を省略する。
【００４４】
図４に示した第３の実施例にかかるディスプレイパネル駆動装置としてのＸ軸ドライバ３は、ドライバ回路３１と、温度検出回路３２と、ＯＮ／ＯＦＦ数比較演算回路３４と、を備えている。ＯＮ／ＯＦＦ数比較演算回路３４は、第２の実施例において記載した機能に加えて比較演算回路３３の機能、すなわち温度検出回路３２が検出した温度を予め設定されている閾値温度と比較する機能も合わせて備えている。つまり、第１の実施例と第２の実施例とを組み合わせている。
【００４５】
このような構成とすることで、ＯＮ／ＯＦＦ数比較演算回路３４では、入力された映像信号からの温度予測と温度検出回路３２が計測した温度とを用いて総合的に判断することができる。
【００４６】
例えば、入力された映像信号からの温度予測で温度変化を予測しきれなかった場合に、温度検出回路３２が計測した値から並列接続する素子数を変更することができる。
【００４７】
本実施例によれば、温度検出回路３２と、ＯＮ／ＯＦＦ数比較演算回路３４を組み合わせて並列接続する素子数を決定している。このような構成とすることで、実際に検出された温度と映像の内容からより精度良く温度に合わせてトランジスタの並列接続する素子数を調整でき、温度変化による駆動能力の変動やノイズの増加などを抑えられるため、温度によらず安定して映像表示パネルを駆動することができる。
【００４８】
なお、上述した実施例においてはＸ軸ドライバ３について説明したが、Ｙ軸ドライバ４においても同様に適用することができる。
【００４９】
また、上述した実施例においてはディスプレイパネルとしてＰＤＰを用いて説明したが、液晶パネルなど表示素子や表示電極などがマトリクス状に形成されるディスプレイパネルの駆動装置に適用することができる。
【００５０】
前述した実施例によれば、以下のＸ軸ドライバ３およびディスプレイパネル駆動方法が得られる。
【００５１】
（付記１）映像表示パネル２に表示する映像に応じた駆動電圧を出力する並列に接続された複数のｐＭＯＳトランジスタＴｒ１，Ｔｒ２，Ｔｒ３およびｎＭＯＳトランジスタＴｒ４，Ｔｒ５，Ｔｒ６と、ｐＭＯＳトランジスタＴｒ１，Ｔｒ２，Ｔｒ３およびｎＭＯＳトランジスタＴｒ４，Ｔｒ５，Ｔｒ６の並列接続する素子数を切替える素子数選択回路３１ａと、を備えたＸ軸ドライバ３において、
映像表示パネル２の温度を検出する温度検出回路３２と、
温度検出回路３２の検出結果に基づいてｐＭＯＳトランジスタＴｒ１，Ｔｒ２，Ｔｒ３およびｎＭＯＳトランジスタＴｒ４，Ｔｒ５，Ｔｒ６の並列接続する素子数を決定し、素子数選択回路３１ａへ決定した素子数を出力する比較演算回路３３と、
を備えたことを特徴とするＸ軸ドライバ３。
【００５２】
このＸ軸ドライバ３によれば、温度検出回路３２が検出した温度によってｐＭＯＳトランジスタＴｒ１，Ｔｒ２，Ｔｒ３およびｎＭＯＳトランジスタＴｒ４，Ｔｒ５，Ｔｒ６の並列接続する素子数を決定することができるので、高温時における駆動能力の低下や表示特性の悪化や、低温時におけるノイズの影響や表示特性の悪化を少なくすることができる。また、温度検出回路３２や比較演算回路３３を電子回路や素子として追加すればよいので、ヒートシンクを搭載したり、駆動素子の高耐圧化などと比較して低コストに温度変化による影響を抑えることができる。
【００５３】
（付記２）映像表示パネル２に表示する映像に応じた駆動電圧を出力する並列に接続された複数のｐＭＯＳトランジスタＴｒ１，Ｔｒ２，Ｔｒ３およびｎＭＯＳトランジスタＴｒ４，Ｔｒ５，Ｔｒ６の並列数を切替えるディスプレイパネル駆動方法において、
前記映像表示パネル２の温度を検出して、温度の検出結果に基づいてｐＭＯＳトランジスタＴｒ１，Ｔｒ２，Ｔｒ３およびｎＭＯＳトランジスタＴｒ４，Ｔｒ５，Ｔｒ６の並列接続する素子数を決定し、決定した並列接続する素子数に切替えることを特徴とするディスプレイパネル駆動方法。
【００５４】
このディスプレイパネル駆動方法によれば、検出した温度によってｐＭＯＳトランジスタＴｒ１，Ｔｒ２，Ｔｒ３およびｎＭＯＳトランジスタＴｒ４，Ｔｒ５，Ｔｒ６の並列接続する素子数を決定することができるので、高温時における駆動能力の低下や表示特性の悪化や、低温時におけるノイズの影響や表示特性の悪化を少なくすることができる。また、温度検出する機能や素子数を決定する機能を電子回路や素子として追加すればよいので、ヒートシンクを搭載したり、駆動素子の高耐圧化などと比較して低コストに温度変化による影響を抑えることができる。
【００５５】
なお、前述した実施例は本発明の代表的な形態を示したに過ぎず、本発明は、実施例に限定されるものではない。すなわち、本発明の骨子を逸脱しない範囲で種々変形して実施することができる。
【図面の簡単な説明】
【００５６】
【図１】本発明の第１の実施例にかかるプラズマディスプレイ装置のブロック図である。
【図２】図１に示されたプラズマディスプレイ装置のＸ軸ドライバの回路図である。
【図３】本発明の第２の実施例にかかるＸ軸ドライバの回路図である。
【図４】本発明の第３の実施例にかかるＸ軸ドライバの回路図である。
【符号の説明】
【００５７】
１        プラズマディスプレイ装置（表示装置）
２        映像表示パネル（ディスプレイパネル）
３        Ｘ軸ドライバ（ディスプレイパネル駆動装置）
４        Ｙ軸ドライバ（ディスプレイパネル駆動装置）
５        ドライバ出力演算回路
６        映像入力演算回路
１０      外部映像出力装置
３１      ドライバ回路
３１ａ    素子数選択回路（切替え手段）
３１ｂ    ドライバ駆動回路
３２      温度検出回路（温度検出手段）
３３      比較演算回路（素子数決定手段）
３４      ＯＮ／ＯＦＦ数比較演算回路（温度検出手段、素子数決定手段）
Ｔｒ１    ｐＭＯＳトランジスタ（駆動素子）
Ｔｒ２    ｐＭＯＳトランジスタ（駆動素子）
Ｔｒ３    ｐＭＯＳトランジスタ（駆動素子）
Ｔｒ４    ｎＭＯＳトランジスタ（駆動素子）
Ｔｒ５    ｎＭＯＳトランジスタ（駆動素子）
Ｔｒ６    ｎＭＯＳトランジスタ（駆動素子）
【図１】
2008250207.tif 000003
【図２】
2008250207.tif 000004
【図３】
2008250207.tif 000005
【図４】
2008250207.tif 000006